(57)【要約】【課題】サーバ側の電源投入より先に周辺装置の電源を投入し、周辺装置の電源投入後にサーバの電源投入を行うことができる電源連動制御方法の提供。【解決手段】複数の無停電電源装置間で情報を伝達するインタフェース１０及び１１、磁気ディスク装置３と無停電電源装置７間で情報を伝達するインタフェース１３とを設け、無停電電源装置７が、システム電源投入の際、磁気ディスク装置３の電源投入を行い、次いで無停電電源装置８に対して磁気ディスク装置４の電源投入を指示し、全ての磁気ディスク装置の電源投入が行われたことをインタフェースを介して認識した後にサーバ用の無停電電源装置６に対してサーバ２の電源投入を指示する電源連動制御方法。【選択図】　図１
2004030213.tif 000002
【特許請求の範囲】
【請求項１】
サーバと、該サーバにＬＡＮ接続される複数の周辺装置と、前記サーバに接続されるサーバ用無停電電源装置と、前記複数の周辺装置に接続される複数の周辺装置用無停電電源装置とを備えるネットワークシステムにおける電源連動制御方法であって、
前記複数の無停電電源装置間で情報を伝達する複数の第１のインタフェースと、特定の周辺装置と特定の無停電電源装置間で情報を伝達する第２のインタフェースと、複数の無停電電源装置をＬＡＮ接続する第３のインタフェースとを設け、システム電源投入の際、前記サーバに接続された無停電電源装置が、第１のインタフェース又は第３のインタフェースを介して前記特定の周辺装置用無停電電源装置に対して該特定の周辺装置の電源投入を指示する第１ステップと、前記特定の無停電電源装置が、複数の周辺装置の立ち上げ完了信号を契機としてサーバ用無停電電源装置に対してサーバの電源投入を指示する第２ステップとを含むことを特徴とする電源連動制御方法。
【請求項２】
サーバと、該サーバにＬＡＮ接続される複数の周辺装置と、前記サーバに接続されるサーバ用無停電電源装置と、前記複数の周辺装置に接続される複数の周辺装置用無停電電源装置とを備えるネットワークシステムにおける電源連動制御方法であって、
前記複数の無停電電源装置間で情報を伝達する複数の第１のインタフェースと、特定の周辺装置と特定の無停電電源装置間で情報を伝達する第２のインタフェースと、複数の無停電電源装置をＬＡＮ接続する第３のインタフェースとを設け、システム停止の際、前記サーバに接続された無停電電源装置が、第１のインタフェース又は第３のインタフェースを介して前記特定の周辺装置用無停電電源装置以外の無停電電源装置に対して接続された周辺装置の電源停止を指示する第１ステップと、前記周辺装置の電源を停止した後に特定の無停電電源装置が、特定の周辺装置の電源停止をを指示する第２ステップとを含むことを特徴とする電源連動制御方法。
【発明の詳細な説明】
【０００１】
【産業上の利用分野】
本発明は、コンピュータシステムにおける電源の連動制御を行うことができる電源連動制御方法に係り、特にサーバに接続された磁気ディスク装置等の周辺装置の電源制御に好適な電源連動制御方法に関する。
【０００２】
【従来の技術】
一般にコンピュータシステムは、メインフレームと呼ばれる中央処理装置と、該中央処理装置とＬＡＮ接続されるサーバと、該サーバにＬＡＮ接続される複数の磁気ディスク装置と、前記サーバや磁気ディスク装置のデータを停電時等に退避するため一定時間の電源を供給する無停電電源装置とを備える。また前記無停電装置は、サーバや磁気ディスク装置個々に接続され、例えば磁気ディスク装置に接続されたものは、停電時等に磁気ディスク装置のキャッシュメモリに格納されているデータを磁気ディスクに退避する間の電力を供給する様に構成され、これは計画停止と呼ばれている。尚、前記サーバの立ち上げより先に電源を投入する必要がある装置としては、磁気ディスク装置に限られるものではないが、本明細書では周辺装置の代表例として磁気ディスク装置を挙げて説明する。
【０００３】
前述の様に構成されたＬＡＮシステムにおいては、サーバがＬＡＮ接続された磁気ディスク装置との接続確認を行うため、磁気ディスク装置の電源を立ち上げた後にサーバの立ち上げを行う必要がある。従来技術においては、人手によって磁気ディスク装置等の周辺装置の無停電電源装置から電源を投入後にサーバの周辺装置の無停電電源装置から電源を投入することが行われていた。
【０００４】
またメインフレームに接続された磁気ディスク装置をサーバからも使用する場合には、メインフレームと磁気ディスク装置との電源連動があると、メインフレーム電源切断時にはディスク装置の電源も切断されており、サーバからの使用に不具合があり、又システム的に電源投入作業にも不具合があった。
【０００５】
【発明が解決しようとする課題】
前述の従来技術においては、人手により電源を投入するため、立ち上げ作業が繁雑であり、特にシステム障害が発生し、一旦システムダウンした後にサーバの再立ち上げを行う場合はサーバ側で周辺装置である磁気ディスク装置の電源の立ち上げを何等かの方法によって確認した後でなければサーバを立ち上げることができないと言う不具合があった。特に大規模なＬＡＮシステムにおいては電源投入作業が繁雑であった。
【０００６】
本発明の第１の目的は、前述の従来技術による不具合を除去することであり、サーバ側の電源投入より先に周辺装置の電源を投入し、周辺装置の電源投入後にサーバの電源投入を行うことができる電源連動制御方法を提供することである。本発明の第２の目的は、前記目的に加え、停電が発生した際にもシステムを障害なく停止することができる電源連動制御方法を提供することである。
【０００７】
【課題を解決するための手段】
前記目的を達成するため本発明は、サーバと、該サーバにＬＡＮ接続される複数の周辺装置と、前記サーバに接続されるサーバ用無停電電源装置と、前記複数の周辺装置に接続される複数の周辺装置用無停電電源装置とを備えるネットワークシステムにおける電源連動制御方法であって、
前記複数の無停電電源装置間で情報を伝達する複数の第１のインタフェースと、特定の周辺装置と特定の無停電電源装置間で情報を伝達する第２のインタフェースと、複数の無停電電源装置をＬＡＮ接続する第３のインタフェースとを設け、システム電源投入の際、前記サーバに接続された無停電電源装置が、第１のインタフェース又は第３のインタフェースを介して前記特定の周辺装置用無停電電源装置に対して該特定の周辺装置の電源投入を指示する第１ステップと、前記特定の無停電電源装置が、複数の周辺装置の立ち上げ完了信号を契機としてサーバ用無停電電源装置に対してサーバの電源投入を指示する第２ステップとを含むことを第１の特徴とする。
【０００８】
更に本発明は、サーバと、該サーバにＬＡＮ接続される複数の周辺装置と、前記サーバに接続されるサーバ用無停電電源装置と、前記複数の周辺装置に接続される複数の周辺装置用無停電電源装置とを備えるネットワークシステムにおける電源連動制御方法において、前記複数の無停電電源装置間で情報を伝達する複数の第１のインタフェースと、特定の周辺装置と特定の無停電電源装置間で情報を伝達する第２のインタフェースと、複数の無停電電源装置をＬＡＮ接続する第３のインタフェースとを設け、システム停止の際、前記サーバに接続された無停電電源装置が、第１のインタフェース又は第３のインタフェースを介して前記特定の周辺装置用無停電電源装置以外の無停電電源装置に対して接続された周辺装置の電源停止を指示する第１ステップと、前記周辺装置の電源を停止した後に特定の無停電電源装置が、特定の周辺装置の電源停止をを指示する第２ステップとを含むことを第２の特徴とする。
【０００９】
【発明の実施の形態】
以下、本発明に係る電源連動制御方法の一実施形態を図を参照して説明する。図１は本実施形態の対象となるコンピュータシステムの概略構成を示す図、図２は前記コンピュータシステムにおける第１の給電開始シーケンスを説明するための図、図３は同システムにおける第２の給電開始シーケンスを説明するための図、図４は同システムにおける給電停止シーケンスを説明するための図である。
【００１０】
図１に示すコンピュータシステムは、メインフレーム１とサーバ２と磁気ディスク装置（ＲＡＩＤ）３とがＬＡＮ５を介してＬＡＮ接続され、前記サーバ２にはサーバ用の無停電電源装置（ＵＰＳ）６が接続され、磁気ディスク装置３には周辺装置用の無停電電源装置（ＵＰＳ）７が接続され、磁気ディスク装置４には周辺装置用の無停電電源装置（ＵＰＳ）８が接続され、前記各無停電電源装置間及びメインフレーム１間にはインタフェース（Ｉ／Ｆ）１０〜１２が設けら、更に磁気ディスク装置４は磁気ディスク装置３の増設筐体のために両者はＳＣＳＩ等のインタフェース（Ｉ／Ｆ）１４が設けられている。更に前記無停電電源装置６〜８は、各々ＬＡＮ５と接続するインタフェース５ａ〜５ｃが設けられている。また本システムには、他のサーバ２０及び２１と、該サーバ２０及び２１に各々電源を供給する無停電電源装置３０及び３１が接続されており、該無停電電源装置３０及び３１には増設用の磁気ディスク装置やインタフェース等が接続されるものであるが、図では省略している。
【００１１】
また前記無停電電源装置６と７との関係は、無停電電源装置６がサーバ動作を行い、無停電電源装置７がクライアント動作を行い、無停電電源装置７と８との関係は、無停電電源装置７がマスタ動作を行い、無停電電源装置８がスレーブ動作を行う様に設定されている。本明細書では前記磁気ディスク装置３を特定の周辺装置、無停電電源装置７を特定の無停電電源装置と呼ぶこともある。
【００１２】
この様に構成されたコンピュータシステムは、正常駆動状態においては、無停電電源装置６がサーバ２に対してＡＣ給電６ａ、無停電電源装置７が磁気ディスク３に対してＡＣ給電７ａ、無停電電源装置８が磁気ディスク装置４に対してＡＣ給電８ａを行うことにより、各装置が動作し、例えばメインフレーム１又はサーバ２がデータ処理を行い、その結果を接続された磁気ディスク装置３及び４にデータを格納する様に動作する。
【００１３】
＜第１の給電開始シーケンスの説明＞
本例ではサーバ２に接続された無停電電源装置６からの起動を契機としてサーバ２及び磁気ディスク装置３及び４とからなるシステムを立ち上げる際の給電開始シーケンスを図２を参照して説明する。
【００１４】
まず、図示しない監視端末からのスケジューラ又はオペレータからの指示によって無停電電源装置６が本システムの立ち上げ指示を行う（符号２０１）場合、無停電電源装置６は、この指示をインタフェース１０又はＬＡＮ５ａ〜５〜５ｂを介して磁気ディスク装置３に接続された無停電電源装置７に対して行い（符号２０２）、これを受けた無停電電源装置７は自己に接続された磁気ディスク装置３へＡＣ給電７ａを行う（符号２０４）と共に、増設用に接続された磁気ディスク装置４の無停電電源装置８に対しても同様にインタフェース１１を介して電源投入の指示を行い（符号２０３）、無停電電源装置８が自己に接続された磁気ディスク装置４へＡＣ給電８ａを行う（符号２０６）。また磁気ディスク装置４の立ち上がりはインタフェース１４を介して磁気ディスク装置３により認識される（符号２０８）。
【００１５】
この様に磁気ディスク装置３及び４が立ち上がると、この立ち上げ完了を磁気ディスク装置３がインタフェース１３を介したレディ信号を用いて無停電電源装置７に報告する（符号２０５）。
【００１６】
これら磁気ディスク装置３及び４から装置の立ち上げ完了報告を受けた無停電電源装置７は、これらの立ち上げをサーバの無停電電源装置６に報告（符号２０９）し、これを受けた無停電電源装置６はサーバ２の電源投入を行う（符号２１２）。
【００１７】
この様に本実施形態による電源連動制御方法は、サーバ２及び各無停電電源装置６〜８間を各々接続するインタフェース並びに各無停電電源装置６〜８をＬＡＮ接続し、監視装置からサーバ２の電源投入の指示があった場合、この指示を磁気ディスク装置３に接続された無停電電源装置７が受け、磁気ディスク装置３及び４の立ち上げ完了をレディ信号によって確認してからサーバ用の無停電電源装置６がサーバ２を立ち上げる様に出力制御することによって、自動的にシステムを立ち上げることができる。
【００１８】
＜第２の給電開始シーケンスの説明＞
本例ではメインフレーム１からの指示により磁気ディスク装置３及び４とからなるシステムを立ち上げる際の給電開始シーケンスを図３を参照して説明する。
【００１９】
まず、メインフレーム１が本システムの立ち上げ指示（符号３０１）を行う場合、メインフレーム１は、この指示をインタフェース１２を介して磁気ディスク装置３に接続された無停電電源装置７に対して行い、これを受けた無停電電源装置７は自己に接続された磁気ディスク装置３へＡＣ給電７ａを行う（符号３０４）と共に、増設用に接続された磁気ディスク装置４の無停電電源装置８に対しても同様にインタフェース１１を介して磁気ディスク装置４の電源投入の指示（符号３０３）を行い、無停電電源装置８が自己に接続された磁気ディスク装置４へＡＣ給電８ａを行う（符号３０６）。また磁気ディスク装置４の立ち上がりはインタフェース１４を介して磁気ディスク装置３により認識される（符号３０８）。
【００２０】
この様に磁気ディスク装置３及び４が立ち上がると、当該立ち上げを磁気ディスク装置３がインタフェース１３を介したレディ信号により無停電電源装置７に報告する（符号３０５）。
【００２１】
磁気ディスク装置３は、前記立ち上げ以降はメインフレーム１とデータの授受（符号３１５）を行い得る状態となる。
【００２２】
この様に本実施形態による電源連動制御方法は、サーバ２及び各無停電電源装置６〜８間を各々接続するインタフェース並びに各無停電電源装置６〜８をＬＡＮ接続し、メインフレーム１又はサーバ２からの電源投入の指示があった場合、この指示を磁気ディスク装置３に接続された無停電電源装置７が受け、個々の磁気ディスク装置３及び４の立ち上げ完了をレディ信号によって確認してからサーバ用の無停電電源装置６がサーバ２を立ち上げる様に制御することによって、自動的にシステムを立ち上げることができる。
【００２３】
＜システム停止時のシーケンス＞
次に前記コンピュータシステムにおいて、正常にシステムを停止する場合の電源連動制御について、図４を参照して説明する。まず、メインフレーム１，サーバ２，磁気ディスク装置３及び４が立ち上がっている状態において、サーバ２から無停電電源装置７にシステム停止命令（符号４００）が発生した場合を想定する。
【００２４】
本実施形態による電源連動制御方法は、このシステム停止命令がサーバ２から発生（符号４００）した場合、図４に示す如く、無停電電源装置７は、ＬＡＮ５ｂ及び５を介して磁気ディスク装置３が他のサーバ２０及び２１の接続が確立した状態か否かを識別し、他のサーバとの接続が確立していない場合、自己に接続された磁気ディスク装置３へ計画停止を指示（符号４０２）を行う。その後磁気ディスク装置３の停止報告を受け無停電電源装置８に対して電源出力の停止を指示する（符号４０３）。
【００２５】
磁気ディスク装置３の停止報告を受けた無停電電源装置７は、この停止をインタフェースケーブル１０又はＬＡＮ５ａ及び５ｂを介して無停電電源装置６に報告（符号４０８）すると同時にメインフレーム１に対してもインタフェースケーブル１２を介して停止報告する（符号４１５）。無停電電源装置６は、サーバ２に対して停止処理を指示する（符号４１０）。
尚、サーバ２からの停止指示にも係わらず磁気ディスク装置３等が他のサーバ２０等と接続が確立している場合、無停電電源装置７は、磁気ディスク装置３及び４の給電を維持する。
【００２６】
この様に本実施形態による電源連動制御方法は、あるサーバを停止する場合、特定のマスタとなる無停電電源装置７が、そのサーバに接続されている磁気ディスク装置が他のサーバと接続が確立しているか否かを識別し、確立していない場合、接続されている磁気ディスク装置の計画停止を行う様に無停電電源装置にインタフェース１０又はＬＡＮ５ａ〜５ｃを用いて指示し、これら磁気ディスク装置の計画停止が完了した事を無停電電源装置６に報告を行うものである。また本システムは、特定のマスタとなる無停電電源装置７があるサーバからの停止命令を受けた場合に、磁気ディスク装置が他のサーバとの接続が確立している場合は、磁気ディスク装置の電源供給を維持するものである。
【００２７】
尚、前記実施形態においてはサーバからの指示によって無停電電源装置７が停止処理を行う例を説明したが、例えばサーバ側で停電が発生した場合及び磁気ディスク装置側で停電が発生した場合、本電源連動制御方法は、無停電電源装置が所定時間サーバ及び磁気ディスク装置への給電を保ちつつ、サーバのみの停止、又は磁気ディスク装置の計画停止を制御することによって、システムを安全に停止しすることができる。
【００２８】
【発明の効果】
以上述べた如く本発明による電源連動制御方法は、複数の無停電電源装置間で情報を伝達する複数の第１のインタフェース並びに各無停電電源装置間を接続するＬＡＮと、特定の周辺装置（例えば磁気ディスク装置）と特定の無停電電源装置間で情報を伝達する第２のインタフェースとを設け、システム電源投入の際、前記特定の無停電電源装置が特定の周辺装置の電源を投入した後、他の周辺装置の電源投入を行い、全ての周辺装置の電源投入が完了した後にサーバの電源投入を行うことによって、サーバの電源投入より先に周辺装置の電源を投入してシステムを立ち上げることができる。
【００２９】
更に本発明は、何れかの無停電電源装置において停電が発生した場合、該停電が発生したサーバ又は周辺装置に接続された無停電電源装置が、他の無停電電源装置に対して停電発生情報を第１のインタフェースを介して伝達し、該停電発生情報を受けた無停電電源装置が自己に接続された周辺装置を計画停止させると共に他の無停電電源装置に前記停電発生情報を第１のインタフェースを介して伝達することにより、システムを安全に停止することができる。
【図面の簡単な説明】
【図１】本発明の一実施形態の対象となるコンピュータシステムの概略構成を示す図。
【図２】前記コンピュータシステムにおける第１の給電開始シーケンスを説明するための図。
【図３】同システムにおける第２の給電開始シーケンスを説明するための図。
【図４】同システムにおける給電停止シーケンスを説明するための図。
【符号の説明】
１：メインフレーム（ＭＦ）、２：サーバ、３及び４：磁気ディスク装置（ＲＡＩＤ）、６〜８：無停電電源装置（ＵＰＳ）、５：ＬＡＮ。
【図１】
2004030213.tif 000003
【図２】
2004030213.tif 000004
【図３】
2004030213.tif 000005
【図４】
2004030213.tif 000006